(57)【要約】【課題】内引出しを一回の引き出し操作で利用可能であり、しかも容易に内引出しを不使用状態に閉鎖できる内引出しを備えた引出し構造を提供すること。【解決手段】内引出し２の前部ローラＲ２が引出し１に設けたガイドレール１２ｂに、後部ローラＲ２が側板レール８に案内支持されており、引出し１の全閉位置から全開位置に至る寸前までは前部ローラＲ２がガイドレール１２ｂに係合し、全開位置においては前記係合が解除されるように構成することで、内引出し２に収納されている物を直ちに取り出すことができ、また内引出し２だけを単独で閉鎖することもできるので、引出し１に収納されている物も支障なく取り出すことができる。【選択図】  図４
2004275397.tif 000002
【特許請求の範囲】
【請求項１】
引出しを引き出すことにより内引出しが利用可能となる内引出しを備えた引出し構造であって、前記内引出しは引出しに載置されて一体に引き出され、引出し全開後は内引出しは単独で収納可能であることを特徴とする内引出しを備えた引出し構造。
【請求項２】
前記内引出しは前輪が引出しに設けたガイドレールに、後輪が引出しの側板レールに案内支持されており、引出しの全閉位置から全開位置に至る寸前までは前記前輪は前記ガイドレールに係合し、全開位置においては前記係合が解除される請求項１に記載の内引出しを備えた引出し構造。
【請求項３】
前記ガイドレールに形成した凹部に前記前輪が嵌入することにより両者の係合が行われ、引出しの全開位置に至る寸前で内引出しの前方移動が拘束されることにより、両者の係合が解除される請求項２に記載の内引出しを備えた引出し構造。
【請求項４】
前記ガイドレールは引出しの両サイドに各１本ずつ設けられている請求項２または３に記載の内引出しを備えた引出し構造。
【請求項５】
前記内引出しは引出しの上部開口の後方を部分的に塞ぐように載置されている請求項１ないし４の何れかに記載の内引出しを備えた引出し構造。
【発明の詳細な説明】
【０００１】
【発明の属する技術分野】
本発明は、引出しを引き出すことにより内引出しが利用可能となる内引出しを備えた引出し構造に関する。
【０００２】
【従来の技術】
従来、引出しを引き出すことにより内引出しが利用可能な引出し構造として、特許文献１に記載の「洗面化粧台」が知られていた。図９は前記特許文献に開示されている引出しの斜視図であって、引出し０１をノブ０２を掴んで本体０３よりＡ方向に引き出した後、内引出しとなる隠し引出し０４の把持部０５を持ってＢ方向に引き出すと、隠し引出し０４が案内レール０６，０７に案内支持されて引き出されるようになっている。
【０００３】
【特許文献１】
実公平７−３４６０９号公報（図１）
【０００４】
【発明が解決しようとする課題】
しかしながら、上記特許文献１に記載のものは、隠し引出し０４は引出し０１を引き出した後でないと引き出すことができず、隠し引出し０４内に収納されている物を利用したいときは面倒な二段階操作を要した。
【０００５】
本発明は、このような状況に鑑みてなされたものであり、内引出しを一回の引き出し操作で利用可能であり、しかも容易に内引出しを不使用状態に閉鎖できる内引出しを備えた引出し構造を提供することを目的とするものである。
【０００６】
【課題を解決するための手段】
上記課題を解決するために、本発明の内引出しを備えた引出し構造は、引出しを引き出すことにより内引出しが利用可能となる内引出しを備えた引出し構造であって、前記内引出しは引出しに載置されて一体に引き出され、引出し全開後は内引出しは単独で収納可能であることを特徴としている。
この特徴によれば、引出しを引き出すことで内引出しも一体に引き出されるので、内引き出しに収納されている物を直ちに取り出すことができ、また内引出しだけを単独で閉鎖できるので、引き出しに収納されている物も支障なく取り出せる。
【０００７】
本発明の内引出しを備えた引出し構造において、前記内引出しは前輪が引出しに設けたガイドレールに、後輪が引出しの側板レールに案内支持されており、引出しの全閉位置から全開位置に至る寸前までは前記前輪は前記ガイドレールに係合し、全開位置においては前記係合が解除されることが好ましい。
このようにすれば、引出しの全開位置において内引出しの前輪がガイドレールの係合から解除されるので、内引出しをガイドレールと側板レールによって容易に閉鎖方向に移動させることができる。
【０００８】
本発明の内引出しを備えた引出し構造において、前記ガイドレールに形成した凹部に前記前輪が嵌入することにより両者の係合が行われ、引出しの全開位置に至る寸前で内引出しの前方移動が拘束されることにより、両者の係合が解除されることが好ましい。
このようにすれば、ガイドレールに形成した凹部に前輪を嵌入させて両者の係合を行うようにしているので、ガイドレールと前輪との係脱が簡素な構成で実現できる。
【０００９】
本発明の内引出しを備えた引出し構造において、前記ガイドレールは引出しの両サイドに各１本ずつ設けられていることが好ましい。
このようにすれば、内引出しが２本のガイドレールに支えられるので、その移動が安定する。
【００１０】
本発明の内引出しを備えた引出し構造において、前記内引出しは引出しの上部開口の後方を部分的に塞ぐように載置されていることが好ましい。
このようにすれば、引出しを引き出したときに引出しと内引出しの両引出しを同時に利用することができる。
【００１１】
【発明の実施の形態】
本発明の実施形態について図面を参照して説明する。
【００１２】
図１は本発明の一実施形態に係る内引出しを備えた引出しの分解組立て斜視図、図２の（ａ）は（ｂ）のＡ−Ａ断面図であり、（ｂ）は内引出しを備えた引出しがキャビネット内に収容された状態を示す部分断面図である。
【００１３】
本発明の引出し構造は、例えば、キャビネット１５等の収容部内部に出し入れ可能に収容される引出しの上部に、小型の内引き出しを前後に移動可能に載置した構造であって図１に示すように構成されている。
【００１４】
すなわち、この引出し構造は、図１に示すように両側板１ａ，１ｂおよび後面板１ｃないし底板１ｄと、両側板１ａ，１ｂ上部の後面板１ｃの高さ位置に取付けられた一対の丸棒状上部フレーム１４ａ，１４ｂとから成る箱型構造の引出し１（前板は省略）と、引出し１上に前後に移動可能に載置され同一幅で短尺（引出し１の全長の略１／２）に構成される内引出し２から構成されている。
【００１５】
引出し１は、図２（ａ）に示すようにキャビネット１５の内部を仕切る両側板４ａ（片側のみ図示）の対向面に水平に取着された一対のブラケット３に所定間隔毎に軸支された複数のローラ２０（片側のみ図示）を介して前後に移動可能に案内支持されている。
【００１６】
また、内引出し２は、図１に示すように、下面の左右側端部に沿って一対の枠体１０ａ，１０ｂが固設され、これら一対の枠体１０ａ，１０ｂの外側には、それぞれ一対の後輪となる後部ローラＲ１，Ｒ１が回転自在に軸支されると共に、枠体１０ａ，１０ｂの内側には一対の前輪となる前部ローラＲ２，Ｒ２がそれぞれ回転自在に軸支されており、前部ローラＲ２，Ｒ２内側の近接位置には後部ストッパＳ１，Ｓ１に当接可能な当接片１０ａ’（図２ａ参照）が枠体１０ａ，１０ｂ前端に下方に向けて形成されている。
【００１７】
引出し１の上部フレーム１４ａ，１４ｂには、前部ローラＲ２，Ｒ２のみを前後に移動可能に支持する短尺のガイドレール１２ａ，１２ｂが挿嵌され、このガイドレール１２ａ，１２ｂ後端には、引出し１の後面板１ｃの左右上端に嵌合すべく下向き嵌合凹部を形成した後部ストッパＳ１，Ｓ１が内側に向けて直交するように折曲形成されると共に、両ストッパＳ１，Ｓ１の当接面には図示しないゴム板等の緩衝材が取付けられている。
【００１８】
そして、両ガイドレール１２ａ，１２ｂの前端には、前部ローラＲ２，Ｒ２を位置決めする所定深さの凹溝状の前部ストッパＳ２，Ｓ２を例えば合成樹脂などで一体成形したホルダＨが着脱可能に装着されており、これら前部ストッパＳ２，Ｓ２は、前端部が前進移動を阻止する垂直面で構成されると共に、その後方側は所定角度（略４５度）の傾斜面で構成されている。
【００１９】
一方、両側板４ａ，４ｂの対向面には、一対の後部ローラＲ１，Ｒ１のみを前後に移動可能に支持する一対の側板レール６，８が水平に取着されており、側板レール６，８の両端上面には後部ローラＲ１，Ｒ１に当接して内引出し２の前後移動端を位置決めするストッパ６ａ，６ｂおよび８ａ，８ｂが設けられている。
【００２０】
次に、上記のように構成された内引出しを載置した引出しの作用に付き、図３〜図６を参照して説明する。図３は内引出しを載置した引出しがキャビネットの収容部内部に収容された状態を示す説明図、図４は内引出しの前部ローラが前部ストッパに位置決めされた状態で引出しが全開される直前の状態を示す説明図、図５は引出しが全開された状態であって、後部ローラが前端のストッパに当接して内引出しの前部ローラが前部ストッパから離脱した状態を示す説明図であり、図６は全開状態の引出し上の内引出しが後方に移動して引出しの開口が全開した状態を示す説明図である。
【００２１】
先ず、図３に示すように、内引出し２を載置した引出し１は、キャビネット１５の収容部内部に収容されており、この状態では、内引出し２の前部ローラＲ２，Ｒ２は、両ガイドレール１２ａ，１２ｂの前端上面に形成された前部ストッパＳ２，Ｓ２内に落し込まれた状態で位置決めされている。
【００２２】
次に、引出し１の上部に載置された内引出し２は、前部ローラＲ２，Ｒ２が凹溝状の前部ストッパＳ２，Ｓ２に位置決め係合された状態となっているので、図４に示すように引出し１が前方への引出される際には、内引出し２の後部ローラＲ１，Ｒ１が一対の側板レール６，８に案内支持されて引出し１と共に全開直前まで前方へ引き出される。
【００２３】
引出し１が全開状態になるまで引き出されると、側板レール６，８に案内支持される後部ローラＲ１，Ｒ１が、側板レール６，８の前端ストッパ６ｂ，８ｂに当接することで前部ローラＲ２，Ｒ２が前部ストッパＳ２，Ｓ２の後方傾斜面を乗り上げ離脱してガイドレール１２ａ，１２ｂ上に乗る。
【００２４】
すなわち、引出し１が全開状態まで引き出されると、引出し１上の内引出し２は、図６に示すように後部ローラＲ１，Ｒ１と前部ローラＲ２，Ｒ２が側板レール６，８上並びにガイドレール１２ａ，１２ｂ上で自由に移動可能な状態となり、内引出し２を引出し１の上部開口を全開するまで後退移動させると、前部ローラＲ２，Ｒ２近傍の当接片１０ａ’が後部ストッパＳ１，Ｓ１に当接した状態となる。
【００２５】
続いて上記の状態から、引出し１をキャビネット１５内部に収容させるために後退移動させると、内引出し２はその位置を維持した状態のまま前部ローラＲ２，Ｒ２がストッパ前部ストッパＳ２，Ｓ２に係合し、それ以降は引出し１と共に図３に示される後端端部まで後退移動する。
【００２６】
従って、上記のように構成された引出し構造によれば、引出し１を引き出すことで内引出し２も一体に引き出されるので、内引出し２に収納されている物を直ちに取り出すことができ、また内引出し２だけを単独で閉鎖することもできるので、引出し１に収納されている物も支障なく取り出すことができる。
【００２７】
また、内引出し２は、前部ローラＲ２，Ｒ２が引出し１に設けたガイドレール１２ａ，１２ｂに、後部ローラＲ１，Ｒ１が引出し１の側板レール６，８に案内支持されており、引出し１の全閉位置から全開位置に至る寸前までは前部ローラＲ２，Ｒ２はガイドレール１２ａ，１２ｂの前部ストッパＳ２，Ｓ２に係合し、全開位置においては係合が解除されるように構成されているので、内引出し２をガイドレール１２ａ，１２ｂと側板レール６，８によって容易に閉鎖方向に移動させることができる。
【００２８】
更に、ガイドレール１２ａ，１２ｂに凹溝状に形成された前部ストッパＳ２，Ｓ２に前部ローラＲ２，Ｒ２が嵌入することにより両者の係合が行われ、引出し１の全開位置に至る寸前で内引出し２の前方移動が拘束されることにより、両者の係合が解除されるように構成されているので、ガイドレール１２ａ，１２ｂと前部ローラＲ２，Ｒ２との係脱が簡素な構成で実現できる。
【００２９】
そして、ガイドレール１２ａ，１２ｂは、引出し１両サイドの一対の丸棒状上部フレーム１４ａ，１４ｂに各１本ずつ挿嵌支持されているので、その移動が安定する。
【００３０】
そしてまた、内引出し２は、引出し１の上部開口の後方を部分的に塞ぐように載置されているので、引出し１を引き出したときに引出し１と内引出し２の両引出しを同時に利用することができる。
【００３１】
次に、引出し構造における前部ストッパの変形例に付き、図７および図８を参照して説明する。尚、上記実施形態と同一構成の部材は同一符号を付して説明する。図７は前部ストッパの第１変形例を示す部分側面図であり、図８は前部ストッパの第２変形例を示す部分側面図である。
【００３２】
先ず、図７には前部ストッパＳ３が示されており、この前部ストッパＳ３はガイドレール２２ａの先端に着脱可能に装着された合成樹脂などで一体成形されるホルダＨ１に設けられており、このホルダＨ１の先端には、ガイドレール２２ａの上面から突出するブラケット２５に係止ローラＲ３が回転自在に軸支されている。
【００３３】
内引出し２下面の左右側端部に固設される一対の枠体２０ａ（一方のみ図示）には、その前端内側面に前部ローラＲ２，Ｒ２が回転自在に軸支されている。そして、引出し１を内引出し２に対し前方に移動した場合に、前部ローラＲ２，Ｒ２が係止ローラＲ３を乗り越えることで、前部ローラＲ２，Ｒ２はガイドレール２２ａ上に載り、全開位置となる。
【００３４】
また、図８には前部ストッパＳ４が示されており、この前部ストッパＳ４はガイドレール３２ａの先端に着脱可能に装着された合成樹脂などで一体成形されるホルダＨ２に設けられており、このホルダＨ２は、先端に上面から突出するストッパ２６と、下方に開口する中空部２８とガイドレール３２ａ上面との間で形成される肉厚部を挿通すべくストッパ２６の後方に形成される貫通孔３８と、肉厚部下面にビスＢを介して後端が固定された板バネ４０と、この板バネ４０の先端上面に取着され板バネ４０が無負荷状態の場合に貫通孔３８を通してガイドレール３２ａ上面から突出する球状の規制部材３５とから構成されている。
【００３５】
従って、引出し１を内引出し２に対し前方に移動した場合に、一対の枠体３０ａ前端内側面の前部ローラＲ２，Ｒ２が、球状の規制部材３５を板バネ４０の付勢力に抗して押し下げることで、前部ローラＲ２，Ｒ２はガイドレール３２ａ上に載り、全開位置となる。
【００３６】
尚、上記のように構成された前部ストッパＳ２，Ｓ２の各変形例は、前記実施形態で述べたものと同一の作用、効果を有しており重複する説明を省略するが、例えば係合部にマグネットを使用した構成とすることも可能である。
【００３７】
【発明の効果】
本発明は以下の効果を奏する。
【００３８】
（ａ）請求項１項の発明によれば、引出しを引き出すことで内引出しも一体に引き出されるので、内引き出しに収納されている物を直ちに取り出すことができ、また内引出しだけを単独で閉鎖できるので、引き出しに収納されている物も支障なく取り出せる。
【００３９】
（ｂ）請求項２項の発明によれば、引出しの全開位置において内引出しの前輪がガイドレールの係合から解除されるので、内引出しをガイドレールと側板レールによって容易に閉鎖方向に移動させることができる。
【００４０】
（ｃ）請求項３項の発明によれば、ガイドレールに形成した凹部に前輪を嵌入させて両者の係合を行うようにしているので、ガイドレールと前輪との係脱が簡素な構成で実現できる。
【００４１】
（ｄ）請求項４項の発明によれば、内引出しが２本のガイドレールに支えられるので、その移動が安定する。
【００４２】
（ｅ）請求項５項の発明によれば、引出しを引き出したときに引出しと内引出しの両引出しを同時に利用することができる。
【図面の簡単な説明】
【図１】本発明の一実施形態に係る内引出しを備えた引出しの分解組立て斜視図である。
【図２】（ａ）は（ｂ）のＡ−Ａ断面図であり、（ｂ）は内引出しを備えた引出しがキャビネット内に収容された状態を示す部分断面図である。
【図３】内引出しを載置した引出しがキャビネットの収容部内部に収容された状態を示す説明図である。
【図４】内引出しの前部ローラが前部ストッパに位置決めされた状態で引出しが全開される直前の状態を示す説明図である。
【図５】引出しが全開された状態であって、後部ローラが前端のストッパに当接して内引出しの前部ローラが前部ストッパから離脱した状態を示す説明図である。
【図６】全開状態の引出し上の内引出しが後方に移動して引出しの開口が全開した状態を示す説明図である。
【図７】前部ストッパの第１変形例を示す部分側面図である。
【図８】前部ストッパの第２変形例を示す部分側面図である。
【図９】従来の内引出しを備えた引出し構造を示す部分斜視図である。
【符号の説明】
１                      引出し
１ａ，１ｂ              側板
１ｃ                    後面板
１ｄ                    底板
２                      内引出し
３                      ブラケット
４ａ，４ｂ              側板
６，８                  側板レール
６ａ，６ｂ              ストッパ
８ａ，８ｂ              ストッパ
１０ａ，１０ｂ          枠体
１０ａ’                当接片
１２ａ，１２ｂ          ガイドレール
１４ａ，１４ｂ          上部フレーム
１５                    キャビネット
２０                    ローラ
２０ａ      ，３０ａ          枠体
２２ａ，３２ａ          ガイドレール
２５                    ブラケット
２６                    ストッパ
２８                    中空部
３５                    規制部材
３８                    貫通孔
４０                    板バネ
Ｂ                      ビス
Ｈ，Ｈ１，Ｈ２          ホルダ
Ｒ１                    後部ローラ
Ｒ２                    前部ローラ
Ｒ３                    係止ローラ
Ｓ１，Ｓ１              後部ストッパ
Ｓ２，Ｓ２，Ｓ３，Ｓ４  前部ストッパ
【図１】
2004275397.tif 000003
【図２】
2004275397.tif 000004
【図３】
2004275397.tif 000005
【図４】
2004275397.tif 000006
【図５】
2004275397.tif 000007
【図６】
2004275397.tif 000008
【図７】
2004275397.tif 000009
【図８】
2004275397.tif 000010
【図９】
2004275397.tif 000011